(57)【要約】【課題】小型化および薄型化に適したイオン発生装置およびそれを搭載した電気機器を提供する。【解決手段】外装ケース４０は、少なくとも高圧トランス駆動回路３０を配置するための高圧トランス駆動回路ブロック４０Ｃと、高圧トランス２０の少なくとも二次側を配置するための高圧トランスブロック４０Ｂと、イオン発生素子１０を配置するためのイオン発生素子ブロック４０Ａとに平面的に区画されている。イオン発生素子１０は、複数の貫通孔１ｂを有する誘導電極１と、貫通孔１ｂの中心に位置する針状の放電電極２とを有している。【選択図】図１
2008198627.tif 000002
【特許請求の範囲】
【請求項１】
トランス駆動回路と、前記トランス駆動回路により駆動されて電圧を昇圧するためのトランスと、前記トランスにより昇圧された電圧を印加されることで正イオンおよび負イオンの少なくともいずれかを生じさせるためのイオン発生素子とを備えたイオン発生装置であって、
前記トランス駆動回路を表面上に搭載した基板と、
前記トランス駆動回路を搭載した前記基板、前記トランスおよび前記イオン発生素子を内部に収容するケースとを備え、
前記イオン発生素子は、
複数の貫通孔を有する一体の金属板からなる誘導電極と、
それぞれが、前記誘導電極の前記複数の貫通孔の各々の内であって、前記貫通孔の中心に位置する針状の先端を有する複数の放電電極と、
前記誘導電極と前記複数の放電電極とを支持する支持基板とを含み、
前記ケースは、少なくとも前記トランス駆動回路を配置するためのトランス駆動回路ブロックと、前記トランスの少なくとも二次側を配置するためのトランスブロックと、前記イオン発生素子を配置するためのイオン発生素子ブロックとに平面的に区画されており、
前記トランスは前記基板と独立して前記ケース内に収容されている、イオン発生装置。
【請求項２】
前記ケースは、前記トランス駆動回路ブロック、前記トランスブロックおよび前記イオン発生素子ブロックとに平面的に区画された本体と、その本体を蓋するための蓋体とを有し、
前記蓋体は、それぞれが前記イオン発生素子の前記複数の貫通孔の各々に対応して設けられた複数のイオン放出用孔を有していることを特徴とする、請求項１に記載のイオン発生装置。
【請求項３】
前記ケースは、前記トランス駆動回路ブロック、前記トランスブロックおよび前記イオン発生素子ブロックとに平面的に区画された本体と、その本体を蓋するための蓋体とを有し、
前記本体の底部は、それぞれが前記イオン発生素子の前記複数の貫通孔の各々に対応して設けられた複数のイオン放出用孔を有していることを特徴とする、請求項１に記載のイオン発生装置。
【請求項４】
前記複数のイオン放出用孔の各々は前記イオン発生素子の前記貫通孔よりも小さな開口寸法を有していることを特徴とする、請求項２または３に記載のイオン発生装置。
【請求項５】
請求項１〜４のいずれかに記載のイオン発生装置と、
前記イオン発生装置で生じた正イオンおよび負イオンの少なくともいずれかを送風気流に乗せて送るための送風部とを備えた、電気機器。
【発明の詳細な説明】
【技術分野】
【０００１】
本発明は、イオン発生装置および電気機器に関し、特に、トランス駆動回路、トランスおよびイオン発生素子を備えたイオン発生装置および電気機器に関するものである。
【背景技術】
【０００２】
放電現象を利用した多くのイオン発生装置が実用化されている。これらのイオン発生装置は通常、イオンを発生させるためのイオン発生素子と、イオン発生素子に高電圧を供給するための高圧トランスと、高圧トランスを駆動するための高圧トランス駆動回路と、コネクタなどの電源入力部とにより構成されている。
【０００３】
イオン発生素子の種類は、大きく２種類に区分される。その１つは、金属線、鋭角部を持った金属板、針形状の金属などを放電電極とし、大地電位の金属板やグリッドなどを対向電極としたもの、あるいは対向電極を大地として特に対向電極を配置しないものである。この種類のイオン発生素子では、空気が絶縁体の役割を果たす。このイオン発生素子は、電極に高電圧を印加した際に、鋭角部をした電極の先端で電界集中が生じ、その先端の極近部分の空気が絶縁破壊することで放電現象を得る方式である。
【０００４】
もう１つは、高耐圧の誘電体内部に埋没された誘導電極と、誘電体表面に配置された放電電極との一対で構成されたものである。この種類のイオン発生素子は、電極に高電圧を印加した際に、表面の放電電極の外縁部近傍で電界集中が生じ、その極近部分の空気が絶縁破壊することで放電現象を得る方式である。
【０００５】
上記イオン発生素子に高電圧を印加する高圧トランスとして、一次巻線と二次巻線とを有する巻線トランスや、圧電セラミック素子で作られた圧電現象を利用した圧電トランスが実用化されている。
【０００６】
従来のイオン発生装置としては、たとえば特開２００２-３７４６７０号公報に記載されたものがある。このイオン発生装置は、イオン発生電極を放電電極とし、対向電極を配置しないタイプのものである。このイオン発生装置では、イオン発生電極に高電圧を供給する圧電トランスと、その圧電トランスを駆動するための駆動回路とがケース内に搭載されて、モールドにより一体化されている。ただし、イオン発生電極はケース外部に配置されており、ケースから引き出されたケーブルに接続されている。
【０００７】
また高圧トランスに関しては圧電トランスと巻線トランスの違いや有利不利点が記載されており、圧電トランスでは巻線トランスよりもトランス自体がコンパクト化できるが周辺回路が複雑になることが記載されている。高圧トランスは他の部品と同一の基板上に搭載され、その基板はケース底面から一定距離浮かせた形で外装ケースに内に配置されていることが記載されている。
【特許文献１】特開２００２-３７４６７０号公報
【発明の開示】
【発明が解決しようとする課題】
【０００８】
上記公報に記載されたイオン発生装置では、高圧トランスと駆動回路とがケース内でまとめてモールドされている。このため、たとえば駆動回路をモールドせずに高圧トランスのみをモールドすることができず、高電圧部のみを効率的にモールドできない。また高電圧部をモールドしない場合には、イオン発生電極以外の高電圧部で放電が生じる可能性があり、係る放電を防止するために高電圧部の部品間の絶縁距離を大きく確保する必要がある。一般的には、１ｋＶの電圧当たり１ｍｍの絶縁距離が目安といわれている。このように絶縁距離を大きくするとイオン発生装置が大きくなってしまうため、装置の小型化および薄型化が困難であるという課題があった。
【０００９】
また上記公報に記載されたイオン発生装置では、高圧トランスは駆動回路と同一の基板上に搭載されている。このため、高圧トランスの配置部では、基板の厚み以外に、基板表面（部品面）側においては高圧トランスの厚み以上の高さが必要であり、基板裏面（半田面）側においては高圧トランスの半田付けしたリード部の長さ以上の高さが必要である。これにより高圧トランスの配置部においてイオン発生装置の厚みが大きくなり、装置の小型化および薄型化が困難であるという課題があった。
【００１０】
本発明は、上記の課題に鑑みてなされたものであり、その目的は、小型化および薄型化に適したイオン発生装置およびそれを搭載した電気機器を提供することである。
【課題を解決するための手段】
【００１１】
本発明のイオン発生装置は、トランス駆動回路と、そのトランス駆動回路により駆動されて電圧を昇圧するためのトランスと、そのトランスにより昇圧された電圧を印加されることで正イオンおよび負イオンの少なくともいずれかを生じさせるためのイオン発生素子とを備えたイオン発生装置であって、基板と、ケースとを備えている。基板は、トランス駆動回路を表面上に搭載している。ケースは、トランス駆動回路を搭載した基板、トランスおよびイオン発生素子を内部に収容している。イオン発生素子は、誘導電極と、複数の放電電極と、支持基板とを含んでいる。誘導電極は、複数の貫通孔を有する一体の金属板からなっている。複数の放電電極のそれぞれは、誘導電極の複数の貫通孔の各々の内であって、貫通孔の中心に位置する針状の先端を有している。支持基板は、誘導電極と複数の放電電極とを支持している。ケースは、少なくともトランス駆動回路を配置するためのトランス駆動回路ブロックと、トランスの少なくとも二次側を配置するためのトランスブロックと、イオン発生素子を配置するためのイオン発生素子ブロックとに平面的に区画されている。トランスは基板と独立してケース内に収容されている。
【００１２】
本発明の他のイオン発生装置は、トランス駆動回路と、そのトランス駆動回路により駆動されて電圧を昇圧するためのトランスと、そのトランスにより昇圧された電圧を印加されることで正イオンおよび負イオンの少なくともいずれかを生じさせるためのイオン発生素子とを備えたイオン発生装置であって、少なくともトランス駆動回路を配置するためのトランス駆動回路ブロックと、トランスの少なくとも二次側を配置するためのトランスブロックと、イオン発生素子を配置するためのイオン発生素子ブロックとに平面的に区画されたケースを備えている。
【００１３】
本発明のイオン発生装置によれば、ケース内部がトランス駆動回路ブロックとトランスブロックとイオン発生素子ブロックとに平面的に区画されているため、各ブロックごとに別個にモールドすることができる。たとえばトランスブロックにおいてはトランスの二次側全体をモールドしながらも、イオン発生素子ブロックにおいてはイオン発生部分をモールドせずにイオン発生素子の高圧回路部をモールドすることができる。これにより、イオン発生装置の高圧部分を効率よくモールドで絶縁分離することができるため、各部分を近づけて配置することが可能となり、イオン発生装置の小型化および薄型化が可能となる。
【００１４】
上記のイオン発生装置において好ましくは、トランスブロックおよびイオン発生素子ブロックがモールドされた構成を有している。
【００１５】
これにより、上述したようにたとえばトランスブロックにおいてはトランスの二次側全体をモールドしながらも、イオン発生素子ブロックにおいてはイオン発生部分をモールドせずにイオン発生素子の高圧回路部をモールドすることができ、イオン発生装置の高圧部分を効率よくモールドで絶縁分離することができる。このため、各部分を近づけて配置することが可能となり、イオン発生装置の小型化および薄型化が可能となる。
【００１６】
上記のイオン発生装置において好ましくは、トランス駆動回路ブロックは、トランス駆動回路を配置した状態でモールド可能な構成を有している。
【００１７】
これにより、必要に応じてトランス駆動回路ブロックもモールドできるため、さらにイオン発生装置の小型化および薄型化が可能となる。
【００１８】
上記のイオン発生装置において好ましくは、ケースは、トランス駆動回路ブロックとトランスブロックとを仕切るための壁を有し、その壁はトランス駆動回路とトランスとを電気的に接続する接続部を通すための切欠部を有している。
【００１９】
この壁によりトランス駆動回路ブロックとトランスブロックとを平面的に区画できるとともに、その壁に設けた切欠部によりトランス駆動回路とトランスとを電気的に接続することが可能となる。
【００２０】
上記のイオン発生装置において好ましくは、ケースは、トランスの一次側と二次側とを仕切るための壁を有し、トランスは、１次側と２次側との中間部位にトランスの他の部分よりも径の大きな拡径部を有し、トランスの中間部位が壁の切欠部に嵌め込まれた状態で拡径部が壁に当接する。
【００２１】
このようにトランスの中間部位が壁の切欠部に嵌め込まれた状態で拡径部が壁に当接するため、たとえばトランスブロックにモールドする際にトランスブロックからトランス駆動回路ブロックへモールドが流入することを防ぐことができる。
【００２２】
上記のイオン発生装置において好ましくは、イオン発生素子は、誘導電極と、複数の放電電極と、支持基板とを備えている。誘導電極は、複数の貫通孔を有する一体の金属板からなり、かつ複数の貫通孔の各々の周縁部分を屈曲させることで貫通孔の壁部の厚みを金属板の板厚よりも厚くしたものである。複数の放電電極のそれぞれは、誘導電極の複数の貫通孔の各々の内であって、貫通孔の厚みの範囲内に位置する針状の先端を有している。支持基板は、誘導電極と複数の放電電極とを支持している。
【００２３】
このように誘導電極が一体の金属板からなっているため、その厚みを薄くすることができる。また貫通孔の周縁部分を屈曲させているため、誘導電極を一体の金属板で形成しながらも、貫通孔の壁部の厚みを金属板の板厚よりも厚くすることができる。この貫通孔の厚みの範囲内に針状の先端を位置させることにより、誘導電極と放電電極との最短距離は放電電極の針状の先端と誘導電極の貫通孔の周縁部との距離となる。ここで、貫通孔の周縁部の厚みは金属板の板厚よりも厚くなっているため、放電電極の位置が周縁部の厚み方向に多少ずれても、その針状の先端は貫通孔の厚みの範囲内に留まる。このため、誘導電極と放電電極との最短距離は放電電極の針状の先端と誘導電極の貫通孔の周縁部との距離のまま維持され、位置関係のバラツキにより生じるイオン発生量のバラツキを低減することが可能となる。
【００２４】
上記のイオン発生装置において好ましくは、ケースは、トランス駆動回路ブロック、トランスブロックおよびイオン発生素子ブロックとに平面的に区画された本体と、その本体を蓋するための蓋体とを有し、その蓋体は、それぞれが複数の貫通孔の各々に対応して設けられた複数のイオン放出用孔を有している。
【００２５】
上記のイオン発生装置において好ましくは、ケースは、トランス駆動回路ブロック、トランスブロックおよびイオン発生素子ブロックとに平面的に区画された本体と、その本体を蓋するための蓋体とを有し、その本体の底部は、それぞれが複数の貫通孔の各々に対応して設けられた複数のイオン放出用孔を有している。
【００２６】
上記のイオン発生装置において好ましくは、複数のイオン放出用孔の各々は貫通孔よりも小さな開口寸法を有している。
【００２７】
これにより通電部である誘導電極に直接手が触れることを防止でき、感電を防止することができる。
【００２８】
本発明の他のイオン発生装置は、トランス駆動回路と、そのトランス駆動回路により駆動されて電圧を昇圧するためのトランスと、そのトランスにより昇圧された電圧を印加されることで正イオンおよび負イオンの少なくともいずれかを生じさせるためのイオン発生素子とを備えたイオン発生装置であって、基板と、ケースとを備えている。基板は、トランス駆動回路を表面上に搭載している。ケースは、トランス駆動回路を搭載した基板、トランスおよびイオン発生素子を内部に収容している。トランスは基板の表面上に搭載されない状態でケース内に収容されている。
【００２９】
本発明の他のイオン発生装置によれば、トランスは基板の表面上に搭載されない状態でケース内に収容されているため、トランスブロックにおけるケースの高さにおいて基板の厚み分と、基板への接続のために必要な高さ分とを削除することができる。これにより、トランスブロックにおけるケースの高さを薄型化できるとともに、イオン発生装置の小型化を図ることができる。
【００３０】
本発明の電気機器は、上記のいずれかに記載のイオン発生装置と、そのイオン発生装置で生じた正イオンおよび負イオンの少なくともいずれかを送風気流に乗せて送るための送風部とを備えている。
【００３１】
本発明の電気機器によれば、イオン発生装置で生じたイオンを送風部により気流に乗せて送ることができるため、たとえば空調機器において機外にイオンを放出することができ、また冷蔵機器において庫内または庫外にイオンを放出することができる。
【発明の効果】
【００３２】
以上説明したように本発明によれば、ケース内が各素子ブロックに平面的に区画されているため、またトランスが基板に搭載されない状態でケース内に収容されているため、イオン発生装置の小型化および薄型化が可能となる。このため、これまで大きさの制約によりイオン発生装置を搭載できなかった電気機器への搭載が可能になり、イオン発生装置を搭載した電気機器への用途拡大や搭載箇所の自由度を拡大することが可能となる。
【発明を実施するための最良の形態】
【００３３】
以下、本発明の実施の形態について図に基づいて説明する。
図１は、本発明の一実施の形態におけるイオン発生装置の構成を概略的に示す分解斜視図である。図２は、図１に示したイオン発生装置において蓋体を除いた状態での概略平面図である。また図３および図４は、図２のＩＩＩ−ＩＩＩ線およびＩＶ−ＩＶ線に沿う概略断面図である。
【００３４】
図１〜図４を参照して、本実施の形態のイオン発生装置５０は、高圧回路５（図３）と、イオン発生素子１０と、高圧トランス２０と、高圧トランス駆動回路３０（図３）と、電源入力コネクタ３０ｂ（図３）と、外装ケース４０とを有している。
【００３５】
高圧トランス駆動回路３０は、外部からの入力電圧を受けて高圧トランス２０を駆動するためのものである。高圧トランス２０は、高圧トランス駆動回路３０により駆動されて入力電圧を昇圧するためのものである。イオン発生素子１０は、高圧トランス２０により昇圧された電圧を印加されることで正イオンおよび負イオンの少なくともいずれかを生じさせるものである。
【００３６】
外装ケース４０は、本体４０ａと、蓋体４０ｂとを有している。本体４０ａの内部は、イオン発生素子１０を配置するためのイオン発生素子ブロック４０Ａと、高圧トランス２０を配置するための高圧トランスブロック４０Ｂと、高圧トランス駆動回路３０を配置するための高圧トランス駆動回路ブロック４０Ｃとに平面的に区画されている。各ブロック４０Ａ、４０Ｂ、４０Ｃは、たとえば本体４０ａ内に配置された壁４１、４２、４３により仕切られている。
【００３７】
イオン発生素子１０は、高圧回路５の構成素子を取付けられた状態でイオン発生素子ブロック４０Ａ内に収容されている。高圧トランス２０は、基板に搭載されない状態で高圧トランスブロック４０Ｂ内に収容されている。高圧トランス駆動回路３０および電源入力コネクタ３０ｂは基板３１に搭載された状態で高圧トランス駆動回路ブロック４０Ｃ内に収容されている。電源入力コネクタ３０ｂの一部は、外装ケース４０の外部に露出しており、外部から電源をコネクタ接続できる構造となっている。
【００３８】
本体４０ａ内に収容された各機能素子は後述するように適宜、電気的に接続され、かつモールドされており、最後に、本体４０ａの上方開口部を閉じるように蓋体４０ｂが取付けられている。なお、この蓋体４０ｂには、イオン放出用の孔４４が設けられている。
【００３９】
次に、上記の各機能素子について、イオン発生素子１０、高圧トランス２０および高圧トランス駆動回路３０の順で具体的に説明する。
【００４０】
図６および図７は、図１〜図４に示すイオン発生装置に用いられるイオン発生素子の構成を概略的に示す分解斜視図および平面図である。図８は図７のＶＩＩＩ−ＶＩＩＩ線に沿う概略断面図である。また図９は、図８のＲ２部を拡大して示す拡大断面図である。
【００４１】
図６〜図８を参照して、イオン発生素子１０は、たとえばコロナ放電により正イオンおよび負イオンの少なくともいずれかを生じさせるためのものであり、誘導電極１と、放電電極２と、支持基板３とを有している。
【００４２】
誘導電極１は、一体の金属板からなっており、かつ放電電極２の個数に対応して天板部１ａに設けられた複数の貫通孔１ｂを有している。この貫通孔１ｂは、コロナ放電により発生するイオンをイオン発生素子１０の外部へ放出するための開口部である。
【００４３】
本実施の形態では貫通孔１ｂの個数はたとえば２個であり、貫通孔１ｂの平面形状はたとえば円形である。貫通孔１ｂの周縁部分は、たとえば絞り加工などの工法により、金属板を天板部１ａに対して屈曲させた屈曲部１ｃとなっている。この屈曲部１ｃにより、図８、図９に示すように、貫通孔１ｂの周縁の壁部の厚みＴ１が天板部１ａの板厚Ｔ２よりも厚くなっている。
【００４４】
また誘導電極１は、たとえば両端部に、金属板の一部を天板部１ａに対して屈曲させた基板挿入部１ｄを有している。この基板挿入部１ｄは、幅の広い支持部分１ｄ1と、幅の狭い挿入部分１ｄ2とを有している。支持部分１ｄ1の一方端は天板部１ａに繋がっており、他方端は挿入部分１ｄ2に繋がっている。
【００４５】
また誘導電極１は、金属板の一部を天板部１ａに対して屈曲させた基板支持部１ｅを有してもよい。この基板支持部１ｅは、基板挿入部１ｄの屈曲方向と同じ方向（図６において下側）に屈曲している。基板支持部１ｅの折り曲げ方向の長さは、基板挿入部１ｄの支持部分１ｄ1の折り曲げ方向の長さと略同一である。
【００４６】
なお屈曲部１ｃは基板挿入部１ｄおよび基板支持部１ｅと同じ方向（図６において下側）に折り曲げられていてもよく、また基板挿入部１ｄおよび基板支持部１ｅと逆の方向（図６において上側）に折り曲げられていてもよい。また屈曲部１ｃ、基板挿入部１ｄおよび基板支持部１ｅは、天板部１ａに対してたとえば略直角に屈曲している。
【００４７】
放電電極２は針状の先端を有している。支持基板３は、放電電極２を挿通させるための貫通孔３ａと、基板挿入部１ｄの挿入部分１ｄ2を挿通させるための貫通孔３ｂとを有している。
【００４８】
針状の放電電極２は、貫通孔３ａに挿入または圧入されて支持基板３を貫通した状態で支持基板３に支持されている。これにより、放電電極２の針状の一方端は支持基板３の表面側に突き出しており、また支持基板３の裏面側に突き出した他方端には、図８、図９に示すように、半田４によりリード線や配線パターンを電気的に接続することが可能である。
【００４９】
誘導電極１の挿入部分１ｄ2は貫通孔３ｂに挿入されて支持基板３を貫通した状態で支持基板３に支持されている。また支持基板３の裏面側に突き出した挿入部分１ｄ2の先端には、図８に示すように、半田４によりリード線や配線パターンを電気的に接続することが可能である。
【００５０】
誘導電極１が支持基板３に支持された状態で、支持部分１ｄ1と挿入部分１ｄ2との境界にある段部が支持基板３の表面に当接する。これにより誘導電極１の天板部１ａは支持基板３に対して所定の距離を保って支持されている。また誘導電極１の基板支持部１ｅの先端が支持基板３の表面に補助的に当接している。つまり、基板挿入部１ｄと基板支持部１ｅとにより、誘導電極１は支持基板３に対してその厚み方向に位置決めすることが可能である。
【００５１】
また誘導電極１が支持基板３に支持された状態で、放電電極２は、その針状の先端が、図７に示すように円形の貫通孔１ｂの中心Ｃに位置するように、かつ図９に示すように貫通孔１ｂの周縁部の厚み（つまり屈曲部１ｃの屈曲長さ）Ｔ１の範囲内に位置するように配置されている。また支持基板３の裏面（半田面）には、図８に示すように高圧回路５の構成素子が取付けられている。
【００５２】
寸法上の一例として、貫通孔１ｂの周縁部の厚み（つまり屈曲部１ｃの屈曲長さ）Ｔ１は１ｍｍ以上２ｍｍ以下程度であり、板状の誘導電極１の板厚Ｔ２は０．５ｍｍ以上１ｍｍ以下程度である。また支持基板３上面から誘導電極１の表面までの厚みは２ｍｍ以上４ｍｍ以下程度である。これにより、このイオン発生素子１０を内部に収容したイオン発生装置５０の厚みを５ｍｍ以上８ｍｍ以下程度に薄型化することができる。
【００５３】
図１０は、図１〜図４に示すイオン発生装置に用いられる高圧トランスの構成を概略的に示す平面図である。図１０を参照して、高圧トランス２０は、たとえば巻線トランスよりなっている。この巻線トランス２０は、互いに絶縁された一次巻線２１と二次巻線２２とを鉄心の周囲のボビンに巻き付けた構成を有しており、一次巻線２１と二次巻線２２とは並んで配置されている。
【００５４】
巻線トランス２０の二次側で発生する電圧は、一般的に一次巻線２１と二次巻線２２との巻数比およびインダクタンスで決まり、高電圧を発生させるには二次巻線２２に通常、数千ターンの巻数を必要とする。この数千ターンの巻数の巻線をボビンの狭い領域に巻き付けると巻線トランス２０の厚みが大きくなる。このため、数千ターンの巻数を一度にボビンに巻くのではなく、１本の巻線を可能な限り多数の層に分割して１層当たりの巻数を少なくして巻くボビン構造とし、全体としての薄型化を実現することが好ましい。また極端に分割数を増やすと巻線トランス２０の長さが増し、小型化には不利になるので、適度な数に分割するのがよい。
【００５５】
なお、一次巻線２１の両端子２３、２３は巻線トランス２０の長手方向（一次巻線２１と二次巻線２２とが隣り合う方向）の端部に配置されており、二次巻線２２の両端子２４、２４は巻線トランス２０の側部に配置されている。
【００５６】
高圧トランス２０は図１０に示す単独の状態で本体４０ａの高圧トランスブロック４０Ｂ内に配置されてもよいが、図１１に示すように高圧トランス２０をケース２５に入れた状態で高圧トランスブロック４０Ｂ内に配置されてもよい。この状態では、高圧トランス２０をケース２５に入れた状態でモールドが施され、ケース２５と高圧トランス２０との隙間にはモールド材２６が充填されている。これにより、高圧トランス２０単体で絶縁性能が確保されている。また高圧トランス２０の端子２３、２４のそれぞれにはリード線２７が接続されてケース２５の外部に引き出されている。
【００５７】
図３を参照して、高圧トランス駆動回路３０は、電源入力コネクタ３０ｂからの電源供給を受けて、これをコンデンサに充電し、規定以上の電圧に達すれば半導体スイッチなどを用いてコンデンサに充電した電荷を放電させ、高圧トランス２０の一次側に電流を供給する機能を有している。高圧トランス駆動回路３０を構成する素子３０ａは、基板３１の裏面に取付けられている。また基板３１の裏面には、電源入力コネクタ３０ｂの一部または全部が取付けられている。この高圧トランス駆動回路３０および電源入力コネクタ３０ｂを搭載した基板３１が高圧トランス駆動回路ブロック４０Ｃ内に配置された状態で、電源入力コネクタ３０ｂは外装ケース４０の外部に電気的に接続できるように構成されている。
【００５８】
この実施の形態では、高圧トランス駆動回路ブロック４０Ｃの基板３１の半田面が図３の上側で部品面（部品取付面）が図３の下側であり、電源入力コネクタ３０ｂは図３の下側において露出している。
【００５９】
図３および図４を参照して、外装ケース４０の蓋体４０ｂは、イオン発生素子１０の貫通孔１ｂに対向する壁部にイオン放出用の孔４４を有している。これにより、イオン発生素子１０で生じたイオンがこの孔４４を通じてイオン発生装置５０の外部へ放出される。上記のようにイオン発生素子１０の一方の放電電極２は正イオンを発生させるものであり、他方の放電電極２は負イオンを発生させるものであるため、外装ケース４０に設けられた一方の孔４４は正イオン発生部となり、他方の孔４４は負イオン発生部となる。
【００６０】
イオン放出用の孔４４は、感電防止のために、通電部である誘導電極１に直接手が触れないように誘導電極１の貫通孔１ｂの孔径よりも小さい径に設定されている。さらに放電電極２の先端位置も、（外装ケース４０の蓋体４０ｂの厚み）＋（誘導電極１の天板部１ａの厚み）＋（誘導電極１の屈曲長さ）でトータル１．５ｍｍ〜３．０ｍｍ程度、外装ケース４０の表面から奥まった構造とされている。このように誘導電極１および放電電極２の先端に手が触れないように、イオン放出用の孔４４の径は小さく設定される必要があるが、逆に小さすぎるとイオン放出量が減少するため、たとえば６ｍｍの寸法とされている。
【００６１】
このイオン発生装置５０は、上述したように５ｍｍ以上８ｍｍ以下の厚みを有しているが、もちろんそれ以上の厚みであってもよい。
【００６２】
次に、各機能素子の電気的接続の状態について説明する。
図１２は、本発明の一実施の形態におけるイオン発生装置の機能ブロック図であり、各機能素子の電気的接続を示す図である。図１２を参照して、イオン発生装置５０は、上述したように、外装ケース４０と、イオン発生素子ブロック４０Ａに配置されたイオン発生素子１０および高圧回路５と、高圧トランスブロック４０Ｂに配置された高圧トランス２０と、高圧トランス駆動回路ブロック４０Ｃに配置された高圧トランス駆動回路３０と、電源入力コネクタ３０ｂとを有している。なお、電源入力コネクタ３０ｂは一部が高圧トランス駆動回路ブロック４０Ｃ内に配置されており、また他の一部が外装ケース４０の外部に露出しており、外部から電源をコネクタ接続できる構造となっている。
【００６３】
この電源入力コネクタ３０ｂは、入力電源としての直流電源や商用交流電源の供給を受ける部分である。電源入力コネクタ３０ｂは高圧トランス駆動回路３０に電気的に接続されている。この高圧トランス駆動回路３０は高圧トランス２０の一次側に電気的に接続されている。この高圧トランス２０は、一次側に入力された電圧を昇圧して二次側に出力するためのものである。高圧トランス２０の二次側の一方はイオン発生素子１０の誘導電極１に電気的に接続されており、二次側の他方は高圧回路５を通じて放電電極２に電気的に接続されている。
【００６４】
高圧回路５は、正イオンを発生させる放電電極２には誘導電極１に対し正極性の高電圧を印加し、また負イオンを発生させる放電電極２には誘導電極１に対し負極性の高電圧を印加するよう構成されている。これにより、正と負の２極性のイオンを発生させることができる。もちろん、高圧回路５の構成により正イオンのみ、または負イオンのみを発生させることも可能である。
【００６５】
具体的な接続の構成としては、たとえば図２に示すように高圧トランス２０は一次側の端子２３と二次側の端子２４とを有しており、端子２３は高圧トランス駆動回路３０を搭載する基板３１の表面（半田面）に半田接続により直接接続されており、端子２４は高圧回路５を搭載する支持基板３の裏面（半田面）に半田接続により直接接続されている。また端子２３、２４によらずにリード線により上記の接続がおこなわれてもよい。
【００６６】
また電源入力コネクタ３０ｂと高圧トランス駆動回路３０とは、図３に示すように基板３１上に搭載された状態で、図示しないリード線や配線パターンにより電気的に接続されている。また高圧トランス２０とイオン発生素子１０および高圧回路５とは、図３に示すように支持基板３上に搭載された状態で、図示しないリード線や配線パターンにより電気的に接続されている。
【００６７】
次に、モールドについて説明する。
上記のように各機能素子が外装ケース内に収容されて電気的に接続された状態で適宜モールドが施されている。ここで、イオン発生素子ブロック４０Ａや高圧トランスブロック４０Ｂは高電圧部であるため、イオン発生素子ブロック４０Ａ内のイオン発生部分（支持基板３の表面側）を除き、支持基板３の裏面側（半田面側）および高圧トランスブロック４０Ｂを樹脂モールド（たとえばエポキシ樹脂）により絶縁を強化することが望ましい。図１１に示すように高圧トランス２０をケース２５内に入れる場合には、ケース２５内をモールドすることで独立してモールドすることが好ましい。また図１に示すように高圧トランス２０を単独で高圧トランスブロック４０Ｂ内に収容する場合には、イオン発生素子ブロック４０Ａの支持基板３の裏面側とともに高圧トランス２０をモールドすることが好ましい。
【００６８】
後者の場合、外装ケース４０には高圧トランスブロック４０Ｂからのモールドが高圧トランス駆動回路ブロック４０Ｃに流れ込まないように壁４１が設けられているが、一方で高圧トランス２０の入力端子２３を高圧トランス駆動回路３０に接続するための接続部（リード線など）を通すことも必要になる。そのため図５に示すように壁４１の一部に、接続部を通すための切欠部４１ａを設けることが好ましい。
【００６９】
高圧トランス駆動回路ブロック４０Ｃも、イオン発生装置５０の使用環境によりモールドされてもよい。基本的にこのブロック４０Ｃは印加電圧が家庭用の電源電圧であるため、他のブロックと比較して低電圧であり、高湿や多塵などの特殊環境でない限りは外装ケース４０に覆われているのでモールドまでは必要とされない場合もあり、モールドを選択できる構造（モールド可能な構成）とすることができる。
【００７０】
ここでモールドを選択できる構造（モールド可能な構成）とは、高圧トランス駆動回路３０および電源入力コネクタ３０ｂを搭載した基板３１が高圧トランス駆動回路ブロック４０Ｃ内に配置された状態で、モールド材を基板３１の表面側（蓋側）から裏面側（本体４０ａの底部側）に回り込ませることが可能で、かつ外装ケース４０の本体４０ａの底部からモールド材が漏れないように構成されていることを意味する。
【００７１】
つまり、モールドは各機能素子を外装ケース４０内に配置した後に行われるため、基板３１の表面側からモールド材を注入しても、部品搭載面である裏面側にまでモールド材が回り込むように外装ケース４０および基板３１が構成されていなければならない。また、モールド材は注入の際には液体であるため、外装ケース４０の底部が密閉されていないと外装ケース４０の外部に漏れ出してしまうため、モールド材が漏れ出さないように外装ケース４０の底部を密閉構造とする必要がある。
【００７２】
なお上記においては、図２に示すように高圧トランス２０の全体が高圧トランスブロック４０Ｂ内に配置された構成について説明したが、図１３に示すように高圧トランス２０の少なくとも二次側（二次巻線２２および端子２４）が高圧トランスブロック４０Ｂ内に配置されていればよく、高圧トランス２０の一次側（一次巻線２１および端子２３）は高圧トランス駆動回路ブロック４０Ｃ内に配置されていてもよい。この場合、高圧トランスブロック４０Ｂと高圧トランス駆動回路ブロック４０Ｃとを仕切る壁４１には、高圧トランス２０を嵌め込むための切欠部４１ｂを設ける必要がある。
【００７３】
また、この構成において高圧トランス駆動回路ブロック４０Ｃ内をモールドしない場合には、高圧トランス２０は、図１４に示すように一次側（一次巻線２１および端子２３）と二次側（二次巻線２２および端子２４）との中間部位に、高圧トランス２０の他の部分よりも径の大きな拡径部２８を有していることが好ましい。これにより、図１３に示すように壁４１の切欠部４１ｂに高圧トランス２０を嵌め込んだ状態において、高圧トランス２０の拡径部２８の一方端面が壁４１に当接することになる。これにより、高圧トランスブロック４０Ｂ内のモールドが高圧トランス駆動回路ブロック４０Ｃ内に流入することを防止することができる。
【００７４】
また上記においては、イオン放出用の孔４４を外装ケース４０の蓋体４０ｂに設けた場合について説明したが、この孔４４は図１３に示すように外装ケース４０の本体４０ａの底面に設けられてもよい。つまり、蓋体４０ｂはイオン放出用の孔４４を設ける側とされてもよく、またイオン放出用の孔４４を設けない側とされてもよい。
【００７５】
また図１５に示すように高圧トランスブロック４０Ｂと高圧トランス駆動回路ブロック４０Ｃとの間の外装ケース４０底部に段差Ｓを設けることにより、高圧トランス２０を外装ケース４０内に配置した状態で、高圧トランス２０の端子２３の高さ位置が、高圧トランス駆動回路３０を搭載した基板３１の上面に接する高さ位置とされてもよい。これにより、高圧トランス２０の端子２３を、基板３１に半田付けなどにより直接接続することができる。
【００７６】
なお図１５においては、説明の便宜上、高圧トランスブロック４０Ｂと高圧トランス駆動回路ブロック４０Ｃとの間を仕切る壁の図示が省略されている。
【００７７】
また図１６に示すように、高圧トランス駆動回路を構成する素子３０ａを基板３１に搭載する場合、基板３１の一部をくり抜いた貫通孔３１ａ内に素子３０ａが配置されてもよい。この場合、図１７に示すように素子３０ａはリード線３２などにより他の素子と電気的に接続されている。このリード線３２は図１７においては基板３１の下側に配置されているが、基板３１の上側に配置されてもよい。このように基板３１の貫通孔３１ａ内に素子３０ａを配置することにより、素子３０ａを基板３１上に搭載する場合よりも薄型化が可能となる。
【００７８】
上記のイオン発生装置において正イオンまたは負イオンのいずれか一方の極性のイオンを発生させる場合、イオンを発生させる放電電極２の針状の先端位置を誘導電極１の貫通孔１ｂの中心に合わせ、かつ誘導電極１の貫通孔１ｂの厚みＴ１の範囲内に配置することにより、誘導電極１と放電電極２の針状の先端とが空気空間を挟んで対向するようにする。
【００７９】
また正イオンと負イオンの両極性のイオンを放出させるためには、正イオンを発生させる放電電極２の針状の先端位置と負イオンを発生させる放電電極２の針状の先端位置との各々を、互いに所定の距離を確保して配置し、かつ誘導電極１の貫通孔１ｂの中心に合わせ、かつ誘導電極１の貫通孔１ｂの厚みＴ１の範囲内に配置することにより、誘導電極１と放電電極２の針状の先端とが空気空間を挟んで対向するようにする。
【００８０】
上記のイオン発生素子１０において、板状の誘導電極１と針状の放電電極２とを上記のように所定の距離を確保して配置し、誘導電極１と放電電極２との間に高電圧を印加すると、針状の放電電極２の先端でコロナ放電が生じる。このコロナ放電により正イオンおよび負イオンの少なくともいずれかのイオンが発生し、このイオンが誘導電極１に設けられた貫通孔１ｂからイオン発生素子１０の外部に放出される。さらに送風を加えることで、より効果的にイオンを放出することが可能となる。
【００８１】
正イオンと負イオンとの双方を生じさせる場合、一方の放電電極２の先端では正コロナ放電を発生させて正イオンを発生させ、他方の放電電極２の先端では負コロナ放電を発生させて負イオンを発生させる。印加する波形はここでは特に問わず、直流、正負にバイアスされた交流波形や正負にバイアスされたパルス波形などの高電圧とする。電圧値は放電を発生させるに十分かつ、所定のイオン種は生成させる電圧領域を選定する。
【００８２】
ここで、正イオンは、水素イオン（Ｈ+）の周囲に複数の水分子が付随したクラスターイオンであり、Ｈ+（Ｈ2Ｏ）m（ｍは任意の自然数）として表される。また負イオンは、酸素イオン（Ｏ2-）の周囲に複数の水分子が付随したクラスターイオンであり、Ｏ2-（Ｈ2Ｏ）n（ｎは任意の自然数）として表される。
【００８３】
本実施の形態のイオン発生装置５０によれば、図１および図２に示すように外装ケース４０の内部が高圧トランス駆動回路ブロック４０Ｃと高圧トランスブロック４０Ｂとイオン発生素子ブロック４０Ａとに平面的に区画されているため、各ブロックごとに別個にモールドすることができる。たとえば高圧トランスブロック４０Ｂにおいてはトランスの二次側全体をモールドしながらも、イオン発生素子ブロック４０Ａにおいてはイオン発生部分をモールドせずにイオン発生素子の高圧回路５をモールドすることができる。これにより、イオン発生装置５０の高圧部分を効率よくモールドで絶縁分離することができるため、各部分を近づけて配置することが可能となり、イオン発生装置の小型化および薄型化が可能となる。
【００８４】
また図１および図２に示すように、高圧トランス２０が基板３１の表面上に搭載されない状態で外装ケース４０の高圧トランスブロック４０Ｂ内に収容されているため、高圧トランスブロック４０Ｂにおける外装ケース４０の高さにおいて基板３１の厚み分（たとえば１．０ｍｍ〜１．６ｍｍ）と、基板３１への接続のために必要な高さ分（たとえば最低２ｍｍ）とを削除することができる。これにより、高圧トランスブロック４０Ｂにおける外装ケース４０の高さにおいて薄型化できるとともに、イオン発生装置５０の小型化を図ることができる。
【００８５】
また高圧トランス駆動回路ブロック４０Ｃは、高圧トランス駆動回路３０を配置した状態でモールド可能な構成を有しているため、必要に応じて高圧トランス駆動回路ブロック４０Ｃもモールドできるため、さらにイオン発生装置５０の小型化および薄型化が可能となる。
【００８６】
また図１および図２に示すように外装ケース４０は、高圧トランス駆動回路ブロック４０Ｃと高圧トランスブロック４０Ｂとを仕切るための壁４１を有し、その壁４１は高圧トランス駆動回路３０と高圧トランス２０とを電気的に接続する接続部（端子２３またはリード線）を通すための切欠部４１ａを有している。この壁４１により高圧トランス駆動回路ブロック４０Ｃと高圧トランスブロック４０Ｂとを平面的に区画できるとともに、その壁４１に設けた切欠部４１ａにより高圧トランス駆動回路３０と高圧トランス２０とを電気的に接続することが可能となる。
【００８７】
また図６〜図９に示すようにイオン発生素子１０では、誘導電極１が一体の金属板からなっているため、その厚みを薄くすることができる。これにより、薄型化を実現することができる。また貫通孔１ｂの周縁部分を屈曲部１ｃのように屈曲させているため、誘導電極１を一体の金属板で形成しながらも、貫通孔１ｂの壁部の厚みＴ１を天板部１ａの板厚Ｔ２よりも厚くすることができる。この貫通孔１ｂの厚みＴ１の範囲内に針状の先端を位置させることにより、誘導電極１と放電電極２との最短距離は放電電極２の針状の先端と誘導電極１の貫通孔１ｂの周縁部分との距離となる。ここで、貫通孔１ｂの周縁部分の厚みＴ１は金属板の板厚Ｔ２よりも厚くなっているため、放電電極２の位置が周縁部分の厚み方向に多少ずれても、その針状の先端は貫通孔１ｂの厚みＴ１の範囲内に留まる。このため、誘導電極１と放電電極２との最短距離は放電電極２の針状の先端と誘導電極１の貫通孔１ｂの周縁部分との距離のまま維持され、位置関係のバラツキにより生じるイオン発生量のバラツキを低減することが可能となる。
【００８８】
また支持基板３により、誘導電極１と放電電極２との双方が互いに位置決めされて支持されるため、誘導電極１と放電電極２との位置関係のバラツキを抑えることができる。
【００８９】
また放電電極２および挿入部分１ｄ2の各々が支持基板３を貫通して支持基板３に支持されている。このようにして誘導電極１と放電電極２とが支持基板３に支持されるとともに、支持基板３の裏面側から突き出た放電電極２の端部および誘導電極１の挿入部分１ｄ2の各々に電気回路などを電気的に接続することが可能となる。
【００９０】
また基板支持部１ｅの端部を支持基板３の表面に当接させることにより、誘導電極１を支持基板３に対して位置決めできるため、誘導電極１と放電電極２との位置関係のバラツキをさらに抑えることができる。また基板支持部１ｅの端部を支持基板３を貫通させずに表面に当接させるだけとしたことにより、放電電極２との絶縁距離を確保することが容易となる。
【００９１】
また図３および図４に示す複数のイオン放出用の孔４４の各々は貫通孔１ｂよりも小さな開口寸法を有しているため、通電部である誘導電極１に直接手が触れることを防止でき、感電を防止することができる。
【００９２】
また正イオンおよび負イオンの両極性のイオンを放出すれば、空気中の正イオンであるＨ+（Ｈ2Ｏ）m（ｍは任意の自然数）と、負イオンであるＯ2-（Ｈ2Ｏ）n（ｎは任意の自然数）とを略同等量発生させることにより、両イオンが空気中を浮遊するカビ菌やウィルスの周りを取り囲み、その際に生成される活性種の水酸化ラジカル（・ＯＨ）の作用により、浮遊カビ菌などを除去することが可能となる。
【００９３】
次に、上記のイオン発生装置を用いた電気機器の一例として空気清浄機の構成について説明する。
【００９４】
図１８は、図１〜図３に示すイオン発生装置を用いた空気清浄機の構成を概略的に示す斜視図である。また図１９は、図１８に示す空気清浄機にイオン発生装置を配置した様子を示す空気清浄機の分解図である。
【００９５】
図１８および図１９を参照して、空気清浄機６０は前面パネル６１と本体６２とを有している。本体６２の後方上部には吹き出し口６３が設けられており、この吹き出し口６３からイオンを含む清浄な空気が室内に供給される。本体６２の中心には空気取り入れ口６４が形成されている。空気清浄機６０の前面の空気取り入れ口６４から取り込まれた空気が、図示しないフィルターを通過することで清浄化される。清浄化された空気は、ファン用ケーシング６５を通じて、吹き出し口６３から外部へ供給される。
【００９６】
清浄化された空気の通過経路を形成するファン用ケーシング６５の一部に、図１〜図３に示すイオン発生装置５０が取り付けられている。イオン発生装置５０は、そのイオン発生部となる孔４４からイオンを上記の空気流に放出できるように配置されている。イオン発生装置５０の配置の例として、空気の通過経路内であって、吹き出し口６３に比較的近い位置Ｐ１、比較的遠い位置Ｐ２などの位置が考えられる。このようにイオン発生装置５０のイオン発生部４４に送風を通過させることにより、吹き出し口６３から清浄な空気とともに外部にイオンを供給するイオン発生機能を空気清浄機６０に持たせることが可能になる。
【００９７】
本実施の形態の空気清浄機６０によれば、イオン発生装置５０で生じたイオンを送風部（空気の通過経路）により気流に乗せて送ることができるため、機外にイオンを放出することができる。
【００９８】
なお本実施の形態においては電気機器の一例として空気清浄機について説明したが、本発明はこれに限定されるものではなく、電気機器は、これ以外に空気調和機（エアコンディショナー）、冷蔵機器、掃除機、加湿器、除湿機、電気ファンヒータなどであってもよく、イオンを気流に乗せて送るための送風部を有する電気機器であればよい。
【００９９】
また上記においてイオン発生装置１０に入力される電源（入力電源）は商用交流電源および直流電源のいずれであってもよい。入力電源が商用交流電源である場合、一次側回路である高圧トランス駆動回路３０を構成する部品間やプリント基板のパターン間には法的距離をとる必要がある。また部品は電源電圧に対し耐圧確保できる部品が必要となり、大型化を招くが回路構成は簡素化でき、部品点数は少なくできる。一方、入力電源が直流電源である場合、一次側回路となる高圧トランス駆動回路３０を構成する部品間やプリント基板のパターン間の距離は上記商用交流電源の場合と比べると大きく緩和され、近距離で配置でき、かつ部品自体もチップ部品などの小型品が採用でき、高密度配置が可能となるものの、高電圧駆動回路実現のための回路が複雑になり、部品点数が上記商用交流電源の場合と比べて多くなる。
【０１００】
また高圧トランス２０は巻線トランスおよび圧電トランスのいずれであってもよい。巻線トランスは一般的に一次巻線と二次巻線との巻数比およびインダクタンスで決まり、高電圧を発生させるには通常数千ターンの巻数を必要とするため相応の大きさが必要になる。一方、圧電トランスは実用化されているものには小型で薄型のものはあるが、原理的に一定の長さが必要となる。また、出力の負荷量に制限があることと、駆動回路が複雑であることとが難点である。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０２】
本発明は、コロナ放電により正イオンおよび負イオンの少なくともいずれかを生じさせるためのイオン発生素子、イオン発生装置および電気機器に特に有利に適用され得る。
【図面の簡単な説明】
【０１０３】
【図１】本発明の一実施の形態におけるイオン発生装置の構成を概略的に示す分解斜視図である。
【図２】図１に示したイオン発生装置において蓋体を除いた状態での概略平面図である。
【図３】図２のＩＩＩ−ＩＩＩ線に沿う概略断面図である。
【図４】図２のＩＶ−ＩＶ線に沿う概略断面図である。
【図５】図２のＲ１部を矢印Ａ方向から見た図である。
【図６】図１〜図４に示すイオン発生装置に用いられるイオン発生素子の構成を概略的に示す分解斜視図である。
【図７】図１〜図４に示すイオン発生装置に用いられるイオン発生素子の構成を概略的に示す平面図である。
【図８】図７のＶＩＩＩ−ＶＩＩＩ線に沿う概略断面図である。
【図９】図８のＲ２部を拡大して示す拡大断面図である。
【図１０】図１〜図４に示すイオン発生装置に用いられる高圧トランスの構成を概略的に示す平面図である。
【図１１】高圧をトランスをケース内にモールドした様子を示す平面図である。
【図１２】本発明の一実施の形態におけるイオン発生装置の機能ブロック図であり、各機能素子の電気的接続を示す図である。
【図１３】高圧トランスブロックに高圧トランスの二次側のみを配置し、一次側を高圧トランス駆動回路ブロックに配置した構成を示す平面図である。
【図１４】高圧トランスの一次側と二次側との間に拡径部を設けた構成を示す平面図である。
【図１５】高圧トランスブロックと高圧トランス駆動回路ブロックとの間のケース底部に段差を設けた構成を示す図である。
【図１６】高圧トランス駆動回路を搭載する基板をくり抜いた貫通孔内に駆動回路の素子を配置した様子を示す斜視図である。
【図１７】図１６のＸＶＩＩ−ＸＶＩＩ線に沿う部分断面図である。
【図１８】図１〜図３に示すイオン発生装置を用いた空気清浄機の構成を概略的に示す斜視図である。
【図１９】図１８に示す空気清浄機にイオン発生装置を配置した様子を示す空気清浄機の分解図である。
【符号の説明】
【０１０４】
１  誘導電極、１ａ  天板部、１ｂ  貫通孔、１ｃ  屈曲部、１ｄ  基板挿入部、１ｅ
基板支持部、２  放電電極、３  支持基板、３ａ，３ｂ  貫通孔、４  半田、５  高圧回路、１０  イオン発生素子、２０  高圧トランス、２１  一次巻線、２２  二次巻線、２３，２４  端子、２５  ケース、２６  モールド材、２７  リード線、２８  拡径部、３０  高圧トランス駆動回路、３０ａ  素子、３０ｂ  電源入力コネクタ、３１  基板、
３１ａ  貫通孔、３２  リード線、４０  外装ケース、４０ａ  本体、４０ｂ  蓋体、４０Ａ  イオン発生素子ブロック、４０Ｂ  高圧トランスブロック、４０Ｃ  高圧トランス駆動回路ブロック、４１，４２，４３  壁、４１ａ，４１ｂ  切欠部、４４  イオン放出用の孔、５０  イオン発生装置、６０  空気清浄機、６１  前面パネル、６２  本体、６３  吹き出し口、６４  空気取り入れ口、６５  ファン用ケーシング。
【図１】
2008198627.tif 000003
【図２】
2008198627.tif 000004
【図３】
2008198627.tif 000005
【図４】
2008198627.tif 000006
【図５】
2008198627.tif 000007
【図６】
2008198627.tif 000008
【図７】
2008198627.tif 000009
【図８】
2008198627.tif 000010
【図９】
2008198627.tif 000011
【図１０】
2008198627.tif 000012
【図１１】
2008198627.tif 000013
【図１２】
2008198627.tif 000014
【図１３】
2008198627.tif 000015
【図１４】
2008198627.tif 000016
【図１５】
2008198627.tif 000017
【図１６】
2008198627.tif 000018
【図１７】
2008198627.tif 000019
【図１８】
2008198627.tif 000020
【図１９】
2008198627.tif 000021